(57)【要約】  【課題】  取り付け対象物に確実かつ容易に取り付け可能な表示板取付具を提供する。  【解決手段】  本発明の表示板取付具は、表示板取り付け部１０を支持する脚部２０と、前記脚部２０に取り付けられた一対のアーム３０、４０と、前記一対のアーム３０、４０間の間隔を調製する間隔調製手段５０とを有し、前記一対のアームの内の一方のアーム３０は前記脚部２０に固定状態で取り付けられ、他方のアーム４０は前記脚部２０に対し移動可能に取り付けられ、前記位置調整手段５０が移動可能な他方のアーム４０を移動させ、前記一対のアーム３０、４０間に取り付け対象物６０を挟持することを特徴とする。【選択図】  図６
2005248420.tif 000002
【特許請求の範囲】
【請求項１】
表示板取り付け部（１０）を支持する脚部（２０）と、
前記脚部（２０）に取り付けられた一対のアーム（３０、４０）と、
前記一対のアーム（３０、４０）間の間隔を調製する間隔調製手段（５０）と
からなり、
前記一対のアームの内の一方のアーム（３０）は前記脚部（２０）に固定状態で取り付けられ、他方のアーム（４０）は前記脚部（２０）に対し移動可能に取り付けられ、
前記位置調整手段（５０）が移動可能な他方のアーム（４０）を移動させ、前記一対のアーム（３０、４０）間に取り付け対象物（６０）を挟持する
ことを特徴とする表示板取付具。
【請求項２】
表示板取り付け部（１０）を支持する脚部（２０）と、
前記脚部（２０）に移動可能に取り付けられた一対のアーム（３０、４０）と、
前記一対のアーム（３０、４０）間の間隔を調製する間隔調製手段（５０）と
前記一対のアームの内の一方のアーム（３０）を前記脚部（２０）に固定状態に係合する固定係合手段（７０）と、
からなり、
前記位置調整手段（５０）が移動可能な他方のアーム（４０）を移動させ、前記一対のアーム（３０、４０）間に取り付け対象物（６０）を挟持する
ことを特徴とする表示板取付具。
【請求項３】
前記間隔調製手段（５０）は、
前記一方のアーム（３０）に取り付けられた少なくとも先端に第１雄ネジが切られた細長部材（３２）と、
前記他方のアーム（４０）に取り付けられた少なくとも先端に第２雄ネジが切られた細長部材（４２）と、
軸方向通路を有し、一方の通路出口には第１雄ネジに螺合する第１雌ネジ（５４）が切られ、他方の通路出口には第２雄ネジに螺合する第２雌ネジ（５６）が切られた筒状体（５２）と
からなり、
前記第１ネジと第２ネジの一方は、右ネジであり、他方は左ネジであり、前記筒状体（５２）を回転することにより、前記一対のアーム（３０、４０）間の間隔を調製する
ことを特徴とする請求項１または２に記載の表示板取付具。
【請求項４】
前記間隔調製手段（５０）は、
前記一方のアーム（３０）に取り付けられた少なくとも先端に第１雌ネジが切られた部材（６４，８０）と、
前記他方のアーム（４０）に取り付けられた少なくとも先端に第２雌ネジが切られた部材（６６，８２）と、
一端に前記第１雌ネジに螺合する第１雄ネジ（８６）が切られ、他端に第２雌ネジに螺合する第２雄ネジ（８８）が切られた棒状体（８４）と
からなり、
前記第１ネジと第２ネジの一方は、右ネジであり、他方は左ネジであり、前記棒状体（８４）を回転することにより、前記一対のアーム（３０、４０）間の間隔を調製する
ことを特徴とする請求項１または２に記載の表示板取付具。
【請求項５】
前記固定係合手段は、前記一方のアーム（３０）と脚部（２０）の両方に形成された貫通穴（７２）とその貫通穴を通るピン（７４）とからなる
ことを特徴とする請求項２に記載の表示板取付具。
【請求項６】
前記固定係合手段は、前記一方のアーム（３０）と脚部（２０）の内の一方に形成された貫通穴（７２）と他方に形成されたピン（７４）とからなる
ことを特徴とする請求項２に記載の表示板取付具。
【請求項７】
表示板取り付け部（１０）を支持する脚部（２０）と、
前記脚部（２０）に取り付けられた一対のアーム（３０、４０）と、
前記一対のアーム（３０、４０）間の間隔を調製する間隔調製手段（５０）と
からなり、
前記間隔調製手段（５０）は、前記脚部（２０）以外の場所に配置される
ことを特徴とする表示板取付具。
【請求項８】
表示板取り付け部（１０）を支持する脚部（２０）と、
前記脚部（２０）に移動可能に取り付けられた一対のアーム（３０、４０）と、
前記一対のアーム（３０、４０）間の間隔を調製する間隔調製手段（５０）と
前記一対のアームの内の一方のアーム（３０）を前記脚部（２０）に固定状態に係合する固定係合手段（７０）と、
からなり、
前記間隔調製手段（５０）は、前記脚部（２０）以外の場所に配置される
ことを特徴とする表示板取付具。
【請求項９】
前記細長部材（３２，４２）のいずれもが、それぞれ前記一対のアーム（３０、４０）に固着されている、あるいは、
前記細長部材（３２，４２）のいずれもが、前記一対のアーム（３０、４０）に固着されていない、あるいは、
前記細長部材（３２，４２）のいずれか一方が、前記一対のアーム（３０、４０）に固着されている
ことを特徴とする請求項３に記載の表示板取付具。
【請求項１０】
前記ネジが切られた部材（６４，８０；６６，８２）のいずれもが、それぞれ前記一対のアーム（３０、４０）に固着されている、あるいは、
前記ネジが切られた部材（６４，８０；６６，８２）のいずれもが、前記一対のアーム（３０、４０）に固着されていない、あるいは、
前記ネジが切られた部材（６４，８０；６６，８２）のいずれか一方が、前記一対のアーム（３０、４０）に固着されている
ことを特徴とする請求項４に記載の表示板取付具。
【発明の詳細な説明】
【技術分野】
【０００１】
本発明は、表示板取り付け具に関し、特に、表示板を道路のガードレール等に取り付ける表示板取り付け体に関する。尚本出願は、平成１６年２月２日に出願された特願２００４−０２５０７０号を優先権主張するものである。
【背景技術】
【０００２】
従来この種の表示板取り付け具として下記の特許文献１に開示されたものが公知である。同文献の図１を参照すると、下側アーム５４のナット５４ｅを締め上げて上側アーム２０と下側アーム５４との間に取り付け対象（ガードレール）Ｇを挟持している。ネジ棒１２は円柱でありそれを包囲する摺動部５４ａもまた円筒状であるため、その間にガタが生じやすい。その結果下側アーム５４は回転し易く緩みやすい。最悪の場合表示板取り付け具がガードレールから外れ、表示板が道路上に落ち走行中の自動車にとって危険な状態になることがあった。
【０００３】
【特許文献１】日本特許第３０７１９８０号公報
【０００４】
前掲の特許文献１に開示された表示板取り付け具の問題点は、表示板支持部に取り付けられた脚部を利用して下側アームを駆動する手段を配置した点にある。即ち、脚部の下側端部に雄ネジを切り、このネジにナットを螺合させて下側アームを押し上げる点にある。スライドする部位と下側アームを押し上げる手段とは同一場所に配置されている。このため下側アームは上側アームとは異なり回転自在となる。従って緩みやすい。
【発明の開示】
【発明が解決しようとする課題】
【０００５】
前記した従来技術の欠点を鑑みると、本発明の目的は、上下アーム間に取り付け対象（ガードレール）を長期に渡り確実に挟持できる表示板取り付け具を提供することである。
【課題を解決するための手段】
【０００６】
前記課題を解決するために、請求項１に記載の本発明（図１を参照）は、表示板取り付け部を支持し一対のアームの一方がスライドする脚部と、取り付け対象（ガードレール）を挟持する一対のアーム間の間隔を調製する（狭める）間隔調製手段とを分けたことである。かくして、上下アームの一方は、取り付け時に脚部をスライドし、間隔調製手段で上下アーム間隔を狭めることができる。かくして、上下アームは、脚部と間隔調製手段と取り付け対象（ガードレール）の３カ所でそれぞれ拘束される。上下アームは緩みづらい。その結果表示板取り付け具がガードレールから外れることはない。
【発明を実施するための最良の形態】
【０００７】
請求項２に記載の本発明（図４を参照）によれば、請求項１に記載の発明と同様に、脚部と間隔調製手段とを分けたことに加え、一対のアームの両方を脚部に移動可能に配置し（請求項１に記載の発明においては、一方のアームは脚部に固定されている）、取り付け時に一方のアームを固定するために、アームを脚部に固定する固定係合手段を設けたことを特徴とする。かくして表示板のガードレールからの高さを調製できる利点がある。
【０００８】
請求項３に記載の本発明（図１を参照）は、請求項１，２に記載の本発明の間隔調製手段を具体的に特定したものである。請求項３に記載の間隔調製手段は、一方のアームに取り付けられた少なくとも先端に第１（右）雄ネジが切られた細長部材と、他方のアームに取り付けられた少なくとも先端に第２（左）雄ネジが切られた細長部材と、軸方向通路を有し、一方の通路出口には第１（右）雄ネジに螺合する第１（右）雌ネジが切られ、他方の通路出口には第２（左）雄ネジに螺合する第２（左）雌ネジが切られた筒状体とからなることを特徴とする。
【０００９】
本明細書の具体的実施例においては、第１ネジを右ネジ、第２ネジを左ネジとして議論している。しかしこれらの定義は置換可能であることは明らかである。第１ネジと第２ネジとは、ネジピッチ（ｐ）、ネジ径（Ｍ２０、Ｍ３０等）が異なってもよいが、一方が右ネジ他方が左ネジであることが必要である。
【００１０】
請求項４に記載の本発明（図２，３を参照）は、請求項１，２に記載の本発明の間隔調製手段を具体的に特定したものである。請求項４に記載の前記間隔調製手段は、一方のアームに取り付けられた少なくとも先端に第１雌ネジが切られた部材と、他方のアームに取り付けられた少なくとも先端に第２雌ネジが切られた部材と、一端に前記第１雌ネジに螺合する雄ネジが切られ、他端に第２雌ネジに螺合する雄ネジが切られた棒状体とからなることを特徴とする。
【００１１】
請求項３と請求項４の発明の相違点は、雄ネジと雌ネジの切られている構造物が逆になっている点である。材料の入手可能性を考慮していずれも採用可能である。図２に示したように、左ネジナットが容易に入手可能であれば（右ネジナットは容易に入手可能である）、図２の表示板取り付け具のほうが図３の表示板取り付け具より容易に制作可能である。図２の表示板取り付け具は、ナットをアームに溶接で取り付け、両端ネジボルトを用意するだけで完成するからである。
【００１２】
請求項５に記載の本発明（図４を参照）は、請求項２に記載の発明の固定係合手段を具体的に特定したものである。請求項５の固定係合手段は、アームと脚部の両方に形成された貫通穴（少なくとも一方には複数の穴が形成されている）にピンを貫通させることである。両方に明けられた貫通孔を選択してその穴にピンを通すことにより、ガードレールと表示板との間隔を調製できる。ピンは市販されているもの（ボルトとナットの組み合わせ）を採用すれば、脚部とアームに穴を明けるだけで固定係合手段を構成できる。
【００１３】
請求項６に記載の本発明は、請求項２に記載の発明の固定係合手段を具体的に特定したものである。請求項６の固定係合手段は、アームと脚部の一方に複数の貫通穴を形成し、他方にその貫通穴に係合するピンを形成することである。この構成ではピンは一方に固定されているため、紛失の心配がない。
【００１４】
請求項７、８に記載の発明は、請求項１、２に記載の発明の主要部を構成要件とし、さらに、間隔調製手段が脚部以外の場所に配置されることを明瞭にしたものである。
当然のことながら、請求項１，２の発明において、間隔調製手段が脚部以外の場所に配置されることを排除するものではない。請求項９に記載の発明は、請求項３に記載の発明の主要部を構成要件とし、ネジ細長部材３２，４２が、梁３１，４１に必ずしも固着される必要のないことを明示したものである。また、請求項１０に記載の発明は、請求項４に記載の発明の主要部を構成要件とし、ナット６４，筒状体８０、ナット６６，筒状体８２が、梁３１，４１に必ずしも固着される必要のないことを明示したものである。この構成の利点は、固着する場合に必要とされる芯合わせの際の芯ずれの誤差を吸収できる点にある。
【実施例】
【００１５】
図１において、表示板取り付け部１０は、水平部材１１と、その両端に取り付けれれた短い垂直部材１２、１２とから構成されている。その結果、表示板取り付け部１０は全体としてＨ形状の外観をしている。水平部材１１は、一辺が約５ｃｍの四角形の筒状体から形成されている。しかし、水平部材１１は円柱、円筒、多角柱のいずれでもよい。表示板（図示せず）の足が垂直部材１２，１２に挿入されて固定される。垂直部材１２，１２の間隔は、表示板の足の幅に相当している。表示板の足の幅に合わせて、垂直部材１２，１２の間隔を調製できる機能を付加することも可能である。しかし垂直部材１２，１２の間隔が異なる別の種類の表示板取り付け部１０を用意して、足の間隔の異なる表示板に合わせることもできる。
【００１６】
表示板取り付け部１０は脚部２０の頂部から突出したボルト１３にナット１４を介して固定される。図１においては、水平部材１１，垂直部材１２，１２を含む面と固定アーム３０，可動アーム４０を含む面とは平行であるが、これらの面がねじれた状態となるよう、脚部２０と表示板取り付け部１０との結合を工夫することもできる。図１に示した状態は、ガードレール（道路）に対し表示板は直交している。しかし、上記したように、表示板を道路に対し内側に向けるのは、表示板取り付け部１０と脚部２０の結合角を変えることにより可能である。
【００１７】
表示板取り付け部１０と脚部２０の結合角を変える構成は、脚部２０の頂部の円板２１の円周にそって複数の穴を空けておく。例えば等角度で８個の穴をあけておく。一方表示板取り付け部１０にはその穴に相当する位置にピンを植設しておく。円板２１に形成された穴に表示板取り付け部１０に植設されたピンを差し込み組み立てることにより、表示板の道路に対する取り付け方向（角度）を４５度毎に変えることが出来る。
【００１８】
脚部２０は、一辺が約５ｃｍの四角形の筒状体から形成され、その長さは約１ｍである。この脚部２０もまた円柱、円筒、多角柱のいずれでもよい。脚部２０の長さは１ｍに限定されるものではない。固定アーム３０と可動アーム４０の間にガードレールである取り付け対象物６０（図６）を挟持できる長さである。
【００１９】
固定アーム３０は梁３１と第１ネジ細長部材３２と把持部材３３とから構成される。表示板取り付け部１０との間隔が約１５ｃｍとなる位置に梁３１が脚部２０に溶接で固着されている。表示板取り付け部１０と梁３１との間の距離もまた任意である。この間の距離を変える方法は図４で後述する。梁３１は一辺が約４ｃｍの四角形の筒状体から形成され、その長さは約１５ｃｍである。この梁３１はまた円柱、円筒、多角柱のいずれでもよい。梁３１の先端には逆Ｌ字型（好ましくは２辺のなす角度は９０度以下である）の把持部材３３が溶接で取り付けられている。梁３１のほぼ中程に第１ネジ細長部材３２が溶接で取り付けられている。図において、第１ネジ細長部材３２は全長にわたって第１雄ネジである右ネジが切られている。しかし先端部のみでもよい。このネジは例えばＭ２０の右ネジである。
【００２０】
可動アーム４０は梁４１と第２ネジ細長部材４２と把持部材４３と筒状体４４とから構成される。梁４１の一端には把持部材４３が溶接で取り付けられている。梁４１は一辺が約４ｃｍの四角形の筒状体から形成され、その長さは約１５ｃｍである。この梁４１はまた円柱、円筒、多角柱のいずれでもよい。梁４１の先端には逆Ｌ字型（好ましくは２辺のなす角度は９０度以下である）の把持部材４３が溶接で取り付けられている。梁４１のほぼ中程に第２ネジ細長部材４２が溶接で取り付けられている。図において、第２ネジ細長部材４２は全長にわたって第２雄ネジである左ネジが切られている。しかし先端部のみでもよい。このネジは例えばＭ２０の左ネジである。
【００２１】
梁４１の他端には筒状体４４が溶接で取り付けられている。筒状体４４は脚部２０がその内部を貫通可能な筒状体である。脚部２０が円柱、円筒であれば、その外径より若干大きい内径を有する円筒である。この実施例においては、脚部２０は一辺が約５ｃｍの四角形の筒状体であるため、筒状体４４は、一辺が５＋ｃｍの四角形の筒状体である。筒状体４４は脚部２０上をスライド可能である。
【００２２】
間隔調製手段５０は筒状体５２と第１ネジ細長部材３２と第２ネジ細長部材４２との組み合わせである。間隔調製手段５０の詳細を図５に示す。図５において、間隔調製手段５０の内部には貫通孔５８が形成され、その一端には第１ネジ細長部材３２に螺合する第１雌ネジ５４が、他端には第２ネジ細長部材４２に螺合する第２雌ネジ５６が切られている。５２の外径はスパナで把持しやすい六角形をしている。別の見方をすると、筒状体５２は細長いナットで一端に右ネジが他端に左ネジが切られたものである。具体的実施例においては、右ネジナットと左ネジナットとをその両端に溶接された筒状体でもよい。
【００２３】
図１、５においては、間隔調製手段５０の第１ネジ５４が第１ネジ細長部材３２に螺合し、第２雌ネジ５６が第２ネジ細長部材４２に螺合している。筒状体５２を回転させることにより、把持部材３３と把持部材４３との間の距離を調製できる。即ち把持部材３３と把持部材４３との間の距離を縮めることによりガードレールである取り付け対象物６０を挟持できる（図６）。筒状体５２を一回転させることにより、右ネジと左ネジのピッチの合計量だけ把持部材３３と把持部材４３の距離を変えることができる。これにより、表示板取り付け具をガードレールに取り付ける作業時間が短縮される。
【００２４】
図７は、本発明の第１実施例の変形例である。同図においては、第１ネジ細長部材３２と第２ネジ細長部材４２は、それぞれ、一端にネジが切られ、他端にナットを具備している。第１ネジ細長部材３２と第２ネジ細長部材４２は、それぞれ、梁３１，４１に空けられた穴を貫通し、筒状体５２と螺合している。この図７の構成と図１のそれとの差異は、第１ネジ細長部材３２と第２ネジ細長部材４２が、それぞれ、梁３１，４１に固着している（図１の構成）か否か（図７の構成）である。本発明の目的を達成するために大きな差異はない。しかし少なくとも一方の部材を梁に固定しない構成は、両方の部材を梁に固着する構成に比較して芯合わせが容易になる利点がある。
【００２５】
次に図２で本発明の第２実施例を説明する。この第２実施例が第１実施例と異なる点は、第１実施例が固定アーム３０，可動アーム４０に取り付けられたネジが雄ネジであるのに対し、第２実施例では雌ネジである点である。図２において、梁３１に貫通孔６２が形成され、第１雌ネジのナット６４がその貫通孔６２に合わせて梁３１に溶接されている。同様に、梁４１に貫通孔６２が形成され、第２雌ネジのナット６６がその貫通孔６２に合わせて梁４１に溶接されている。この実施例においては、ナット６４、６６は、それぞれ梁３１，４１に溶接されているが、本発明の目的を達成するためには、ナット６４、６６はそれぞれ梁３１，４１に対し、回転しなければよい。従って、梁３１，４１にナット６４，６６の回り止め（ナットが回転しないようにする突起）を具備するか、梁３１，４１とナット６４，６６との間の摩擦に期待して特に何も施さなくてもよい。
【００２６】
両端ネジボルト８４の一端は、第１ナット６４に螺合する第１雄ネジ８６が、他端には第２ナット６６に螺合する第２雄ネジが切られている。両端ネジボルト８４の中央部はスパナに合った六角形をしている。両端ネジボルト８４を一回転させることにより、右ネジと左ネジのピッチの合計量だけ把持部材３３と把持部材４３の距離を変えることができる。
【００２７】
次に図３で本発明の第３実施例を説明する。この第３実施例が第２実施例と異なる点は、第２実施例では第１ナット６４、第２ナット６６が、梁３１、梁４１のそれぞれ外側に取り付けられているのに対し、第３実施例では第１ナット６４，第２ナット６６にそれぞれ相当する第１筒状体８０，第２筒状体８２が梁３１、梁４１の内側に取り付けられている点である。この場合、第１筒状体８０，第２筒状体８２は、それぞれ第１雌ネジ、第２雌ネジが切られた筒状体である。作用効果がほぼ同一である。
【００２８】
最後に図４で表示板取り付け部１０と固定アーム３０との間の距離を変える構成を示す。表示板取り付け具１０と固定アーム３０との間の距離を適宜決定した後、固定係合手段７０で固定アーム３０を脚部２０に固定する。図４の固定アーム３０は、可動アーム４０とほぼ同一構成をしている。即ち、梁３１の一端に筒状体３４が溶接されている。筒状体３４の側面には複数の貫通孔７２が形成されている。同様に脚部２０に１個の貫通孔７２が形成されている。２つの貫通孔７２，７２にピン７４を通すことにより、固定アーム３０を脚部２０に固定できる。
【００２９】
具体的には、表示板取り付け部１０と固定アーム３０との間の距離を広げるには、筒状体３４に空けられた最上位の貫通孔７２と脚部２０の貫通孔７２とを合わせてピン７４を挿入する。逆に距離を縮めるには最下位の貫通孔７２と脚部２０の貫通孔７２を合わせてピン７４を挿入すればよい。
【００３０】
ここに開示した実施例とは逆に、脚部２０に複数の貫通孔を形成し、筒状体３４に１個の貫通孔を形成してもよい。
【００３１】
また、筒状体３４と脚部２０に凹凸をそれぞれ形成し、それらを係合してを脚部２０に固定してもよい。いずれにしても、一方のアーム（固定されるべきアーム）は、表示板取り付け具をガードレール６０に固定する直前には脚部２０に固定しておく必要がある。固定アーム３０を脚部２０に固定する固定係合手段７０は、上記の機能を達成できるものあればいかなる構成のものでもよい。固定されるべきアームは、上下いすれのアームでもよい。しかい上側のアームを固定しておくほうが作業性は向上する。
【００３２】
本発明の特徴は、請求項７，８に記載したように、間隔調製手段が脚部以外の場所に配置されることである。この機能を満たすものであれば、間隔調製手段の種類は問わない。上記の実施例においては、間隔調製手段は、右ネジと左ネジを使用している。しかし、これは、スキー靴に取り付けられているようなバックルでもよい。
【００３３】
さらに上記の説明において、上側アーム３０に右ネジを、下側アーム４０に左ネジを切ったが、当然のことながら、逆にしてもよい。即ち、上側アーム３０に左ネジを、下側アーム４０に右ネジを切ってもよい。
【図面の簡単な説明】
【００３４】
【図１】本発明の第１実施例の表示板取り付け具の側面図。
【図２】本発明の第２実施例の表示板取り付け具の側面図。
【図３】本発明の第３実施例の表示板取り付け具の側面図。
【図４】本発明の第４実施例の表示板取り付け具の側面図。
【図５】本発明の第２実施例の間隔調製手段の部分分解拡大断面図。
【図６】本発明の表示板取り付け具をガードレールに取り付けた状態を表す斜視図。
【図７】本発明の第１実施例の変形例である表示板取り付け具の側面図。
【符号の説明】
【００３５】
１０  表示板取り付け部
１１  水平部材
１２  垂直部材
１３  ボルト
１４  ナット
２０  脚部
２１  円板
３０  固定アーム
３１  梁
３２  第１（例：右ネジ）ネジ細長部材
３３  把持部材
３４  筒状体
４０  可動アーム
４１  梁
４２  第２（例：左ネジ）ネジ細長部材
４３  把持部材
４４  筒状体
５０  間隔調製手段
５２  筒状体
５４  第１（例：右ネジ）雌ネジ
５６  第２（例：左ネジ）雌ネジ
５８  貫通孔
６０  取り付け対象物
６２  穴
６４  第１（例：右ネジ）ナット
６６  第２（例：左ネジ）ナット
７０  固定係合手段
７２  貫通孔
７４  ピン
８０  第１（例：右ネジ）筒状体
８２  第２（例：左ネジ）筒状体
８４  両端ネジボルト
８６  第１（例：右ネジ）雄ネジ
８８  第２（例：左ネジ）雄ネジ
【図１】
2005248420.tif 000003
【図２】
2005248420.tif 000004
【図３】
2005248420.tif 000005
【図４】
2005248420.tif 000006
【図５】
2005248420.tif 000007
【図６】
2005248420.tif 000008
【図７】
2005248420.tif 000009